(57)【要約】【課題】 低コストであり、使用が簡便で家庭用や専門家用として使われうる皮膚剥皮装置を提供すること【解決手段】 皮膚表面を再生し、皮膚損傷を回復するために皮膚の最外郭層を剥皮する皮膚剥皮装置１０は、ハウジング１２、皮膚センサー２２及び皮膚治療用の処置器３４を備える。皮膚治療用の処置器３４は、研磨チップ３６、第１端部３８、透明部４０、第２フィルタ及び第２端部４２を備えるが、それらは、いずれも分離及び交換が可能であり、皮膚治療用の処置器は、チューブ型のホース４４により真空源に連結され、真空は、研磨チップとユーザーの皮膚とをさらに密着させ、剥かれた皮膚残骸を吸入する。皮膚治療用処置器３４、特に研磨チップ３６は、通常の材料で量産工程で製作されて使い捨て用が可能であり、かつ経済的である。【選択図】 図１
2007502142.tif 000002
【特許請求の範囲】
【請求項１】
ａ）皮膚治療用の処置器と、
ｂ）前記皮膚治療用の処置器に連結された真空源と、を備え、
前記皮膚治療用の処置器は、第１端部、第２端部を有する空洞チューブ、前記第１端部に脱着可能に装着された研磨チップ、及び前記チューブの内部に、前記第１端部と第２端部との間に設置された第１フィルタを備え、前記研磨チップが研磨性粒子を備え、前記真空源が前記処置器の前記第２端部に連結されたことを特徴とする皮膚剥皮装置。
【請求項２】
前記研磨チップの研磨性粒子は、所定範囲のサイズを有する酸化アルミニウム結晶、炭化ケイ素結晶または酸化ケイ素結晶を含むことを特徴とする請求項１に記載の皮膚剥皮装置。
【請求項３】
前記研磨性粒子のサイズの範囲は、６０ないし１５０ミクロンであることを特徴とする請求項２に記載の皮膚剥皮装置。
【請求項４】
前記研磨チップは、研磨性粒子を加圧モールディング及び熱処理して製作されたことを特徴とする請求項２に記載の皮膚剥皮装置。
【請求項５】
前記研磨チップは、ユーザーの皮膚と接触する扁平な環状部を備え、前記環状部に空気が吸入される吸入孔が形成されたことを特徴とする請求項２に記載の皮膚剥皮装置。
【請求項６】
前記研磨チップは、液状のセラミック材料でコーティングされたことを特徴とする請求項２に記載の皮膚剥皮装置。
【請求項７】
研磨性粒子のサイズによって、前記液状のセラミック材料が異なる色相で着色されたことを特徴とする請求項６に記載の皮膚剥皮装置。
【請求項８】
前記研磨チップは、ユーザーの皮膚に接触してローリング可能に、前記扁平な環状部から突出するローラを備えることを特徴とする請求項１に記載の皮膚剥皮装置。
【請求項９】
ユーザーの皮膚の脂性度を測定する皮膚センサーをさらに備えることを特徴とする請求項１に記載の皮膚剥皮装置。
【請求項１０】
前記真空源により提供される真空の強度は、前記皮膚センサーにより測定された脂性度によって制御されることを特徴とする請求項９に記載の皮膚剥皮装置。
【請求項１１】
ユーザーは、前記真空の強度を調節できることを特徴とする請求項１０に記載の皮膚剥皮装置。
【請求項１２】
前記装置の作動時間を制御するタイマーをさらに備えることを特徴とする請求項１に記載の皮膚剥皮装置。
【請求項１３】
前記チューブは、外部から前記フィルタを見ることを可能とする透明部を備えることを特徴とする請求項１に記載の皮膚剥皮装置。
【請求項１４】
前記皮膚治療用の処置器と前記真空源との間に配置された第２フィルタをさらに備えることを特徴とする請求項１に記載の皮膚剥皮装置。
【請求項１５】
前記第２フィルタは、開放端部を備える容器、前記開放端部に挟まれる栓、前記栓を通過する引入パイプ、前記栓を通過する排出パイプ、及び前記排出パイプに固定されたフィルタエレメントを備え、前記容器が前記栓から分離可能であることを特徴とする請求項１４に記載の皮膚剥皮装置。
【請求項１６】
前記研磨チップは、全体的にシリンダー形態を有し、開放端部及び閉鎖端部を有するハウジング、第１表面、第２表面及び前記第２表面から延びるロッド部材を備える研磨部材を備え、前記研磨部材の前記ロッド部材を前記ハウジングの閉鎖端部に形成された中央孔に挿入して、前記研磨部材が前記ハウジングに装着されて、前記研磨部材の前記第１表面が前記ハウジングの前記開放端部を通じて露出されることを特徴とする請求項１に記載の皮膚剥皮装置。
【発明の詳細な説明】
【技術分野】
【０００１】
本発明は、皮膚剥皮装置に係り、特に皮膚表面を再生するために皮膚の最も外側の表皮層を剥く皮膚剥皮装置に関する。
【背景技術】
【０００２】
剥皮処理は、皮膚の欠点や欠陥を除去する過程である。皮膚の最も外側の表皮層を除去することによって、皮膚の色素性の病変、しみ、老化斑点、シワなどの皮膚欠点や欠陥を治療して皮膚を元の状態に改善できる。
【０００３】
剥皮処理の一つの技法は、圧縮空気と通常、石英、金属または酸化アルミニウムの微細結晶体である粉末状の研磨性材料とを使用して皮膚の表面を剥き、真空を利用して、研磨性材料及び正常皮膚組織と分離された皮膚組織を除去する方法である。真空は、施術器具を通して、研磨性結晶体が皮膚を剥いた後に、剥かれた皮膚残骸を回収する。
【０００４】
剥皮処理の他の技法は、粉末材料の代わりに施術器具の先端に研磨性材料を永久的に付着する方法である。永久的に付着される研磨性材料としては、通常、ダイヤモンド、酸化アルミニウム、炭化ケイ素、酸化ケイ素または窒化金属が使われる（特許文献１、２）。
【０００５】
このような技法の短所は、皮膚残骸が研磨性粒子の間に挟まれて残留するとき、それらから皮膚残骸を完全に除去し難いという点である。残留する皮膚残骸は、バクテリア感染のような非常に深刻な医学的問題を発生させうる。残留する皮膚残骸は、また、施術器具の性能を低下させる。先行技術の短所としては、このような施術技法が医療施設で管理される必要があり、研磨チップの消毒及び掃除のために特定の器具を必要とするという点が挙げられる。したがって、このような剥皮技法は、度々高コストを要求する。
【特許文献１】米国特許第６，２４１，７３９号明細書
【特許文献２】米国特許第６，５００，１８３号明細書
【発明の開示】
【発明が解決しようとする課題】
【０００６】
本発明の目的は、従来の技術の短所を解決するためのものであって、低コストであり、使用が簡便で家庭用や専門家用として使われうる皮膚剥皮装置を提供することである。
【０００７】
本発明の他の目的は、皮膚と接触して皮膚を剥く研磨チップを消毒または掃除する必要が全くないか、または最小化されるように１回使用した後に廃棄または交換できる皮膚剥皮装置を提供することである。
【０００８】
本発明のさらに他の目的は、ユーザーが見られて皮膚剥皮装置の適切な作動を確認できる二重フィルタリングシステムを提供することである。
【課題を解決するための手段】
【０００９】
前記目的を達成するために、本発明による皮膚剥皮装置は、皮膚治療用の処置器及び皮膚治療用の処置器に連結された真空源を備える。皮膚治療用の処置器は、第１端部、第２端部を有する空洞チューブ、第１端部に脱着可能に固定された研磨チップ、及び前記チューブの内側に第１端部と第２端部との間に設置された第１フィルタを備え、前記第２端部には真空源が連結される。皮膚治療用の処置器の空洞チューブは、外部からフィルタを見ることが可能になるように透明な部分を備える。本発明の皮膚治療用の処置器の他の実施形態によれば、部品は脱着可能ではないが、皮膚治療用の処置器の全体が使い捨て用品として製作される。
【００１０】
研磨チップの研磨粒子は、約６０ないし１５０ミクロンの所定範囲のサイズを有する酸化アルミニウム結晶、炭化ケイ素結晶または酸化ケイ素結晶からなる。研磨チップは、研磨性粒子を加圧モールディング及び加熱処理して製作される。研磨チップは、ユーザーの皮膚と接触する扁平な環状部を有するが、環状部には、空気が吸入される吸入孔が形成されている。研磨チップは、液状のセラミック材料でコーティングされているが、液状のセラミック材料は、研磨結晶のサイズによって、異なる色相で着色されている。研磨チップの他の実施形態において、研磨チップは、扁平な環状部から突出するローラを備えるが、このローラは、ユーザーの皮膚と接触して皮膚上でローリングする。
【００１１】
本発明の皮膚剥皮装置は、皮膚センサーを備えるが、このセンサーは、ユーザーの皮膚の脂性度を測定する。真空源が提供する真空の強度は、皮膚センサーにより測定された脂性度によって自動に制御されるか、またはユーザーにより手動で調節されうる。皮膚剥皮装置は、装置の作動時間を調節するタイマーを備える。
【００１２】
皮膚治療用の処置器と真空源との間には第２フィルタが設置されているが、第２フィルタは、開放端部を備える容器、開放端部に挟まれる栓、栓を通過する引入パイプ、栓を通過する排出パイプ及び排出パイプに固定されたフィルタエレメントを備える。容器は、栓から分離されうる。
【発明の効果】
【００１３】
本発明の長所は、次の通りである。
【００１４】
第一に、本発明の皮膚剥皮装置は、低コストで量産が可能である。第二に、本発明の装置は、他の皮膚剥皮装置に比べてコストが低い。第三に、本発明の装置は、個人用及び専門家用に製作されうる。第四に、本発明の装置は、皮膚残骸をさらに効果的に除去する二重フィルタリングシステムを備える。第五に、本発明の皮膚剥皮装置の皮膚治療用の処置器は、廃棄、交換及び掃除の便宜のために脱着可能な部品を備える。第六に、本発明の皮膚治療用の処置器は、交換可能であり、使い捨て用に使用できる研磨チップを備える。
【発明を実施するための最良の形態】
【００１５】
図１に示した皮膚剥皮装置１０は、ハウジング１２、皮膚センサー２２及び皮膚治療用の処置器３４を備える。ハウジング１２は、オン／オフスイッチ１４、皮膚の脂性度のレベルを測定するための皮膚センサー開始ボタン１６、皮膚剥皮処理を始めるための皮膚剥皮開始ボタン１８、及び剥皮圧力及び真空圧力を調節するための圧力調節ボタン２０を備える。皮膚センサー２２は、電気ワイヤ２４によりハウジング１２に連結されている。皮膚センサー２２で、電気ワイヤ２４の反対側の端部には、皮膚の脂性度を測定する皮膚センサー電極２６が設置されている。皮膚センサー２２は、使用しないときには、皮膚センサースロット２８に置かれうる。本発明の皮膚剥皮装置１０は、皮膚センサー２２により測定された皮膚の脂性度に基づいて、剥皮過程で印加される圧力を調節する。剥皮圧力及び真空圧力の強度は、また、圧力調節ボタン２０により調節され、圧力の強度は、圧力表示器３０に表示される。ＬＥＤ（Ｌｉｇｈｔ  Ｅｍｉｔｔｉｎｇ  Ｄｉｏｄｅ）タイマー３２は、各皮膚処理施術の時間を管理する。装置１０がターンオンされれば、タイマーは、通常１５ないし２０分の時間にリセットされる。
【００１６】
皮膚治療用の処置器３４は、第１端部３８及び第２端部４２を有する空洞チューブ３５、第１端部３８に脱着可能に設置される研磨チップ３６、及び第１端部３８と第２端部４２との間に設置された第１フィルタ６４を備える。皮膚治療用の処置器３４の第２端部４２は、チューブ型のホース４４によりハウジング１２の内部の真空源に連結される。真空の強度は、ＬＥＤ圧力表示器３０により表示される。ユーザーは、装置１０により自動に設定された真空の強度を手動で調節できる。皮膚治療用の処置器３４がユーザーの皮膚に接触する強度は、真空の強度により決まる。真空が強いときには、研磨チップ３６が皮膚にさらに強く密着される。タイマーがオフになった後に、装置は、約１０秒間空気を吸入し続けて皮膚治療用の処置器３４の内部の皮膚残骸を除去する。
【００１７】
図２は、皮膚治療用の処置器３４の正面図である。空洞チューブ３５は、研磨チップ３６、第１チューブ３９、透明部４０及び第２チューブ４３を備える。第１フィルタ６４は、透明部４０の内部に位置する。研磨チップ３６、第１チューブ３９、透明部４０、第１フィルタ６４及び第２チューブ４３は、いずれも分離可能であるので、洗浄及び交換が簡便である。皮膚治療用の処置器３４の透明部４０は、ユーザーが第１フィルタ６４を見ることを可能にする。これにより、ユーザーは、皮膚剥皮装置１０が適切に動作しているか否かを確認できる。第１フィルタ６４を見させる透明部４０は、ユーザーに皮膚治療用の処置器３４及び全ての構成部品が全体または個別的に交換する時期となったことを知らせる役割も行う。
【００１８】
図３に示したように、研磨チップ３６は、扁平な環状部６０を有するが、この部分は、ユーザーの皮膚と接触する。研磨チップ３６の環状部６０には、吸入孔６２が形成されているが、これは、空気を吸入して研磨チップ３６により分離された皮膚小片が共に吸入されるようにする。６０ないし１５０ミクロンの所定範囲のサイズを有する酸化アルミニウムまたは酸化シリカ結晶で形成された研磨チップ３６が皮膚の外郭層を剥けば、皮膚治療用の処置器３４が皮膚筋肉と一致する方向に沿って皮膚で移動するときに、分離された皮膚小片が吸入孔６２を通じて吸入される。研磨チップの結晶粒径の変移は、研磨レベルの差をもたらすが、結晶粒径が大きければ、皮膚をさらに速く剥皮する。
【００１９】
研磨チップは、所定の範囲によって異なる色相を有しており、分離及び交換が容易である。研磨チップは、酸化アルミニウム粉末、酸化ケイ素及び酸化鉄（Ｆｅ２Ｏ３）などの混合物を加圧モールディングし、モールディングされた混合物を２，０００°Ｃほどの温度で熱処理して凝固させて製作される。凝固された混合物は、若干の空隙性を有する。しかし、皮膚治療用の処置器の吸入性能を低下させないために、空隙性を除去することが望ましい。空隙を密封するために、研磨チップの表面が液状のセラミック材料でコーティングされる。液状のセラミック材料は、異なる研磨結晶粒に対して異なる色相を有するように着色される。これにより、コーティング色は、研磨粒径を表示する。皮膚状態によって異なる研磨結晶粒を選択して、皮膚処理施術の効果が向上する。
【００２０】
研磨チップ３６が容易に交換されうるので、研磨粒子の間に皮膚残骸が挟まれるような衛生上の問題が減少または除去されうる。吸入孔６２を通じて真空により吸入された研磨粒子及び皮膚残骸は、第１チューブ３９を通じて第１フィルタ６４が内蔵された透明部４０に伝達される。第１フィルタ４０が皮膚残骸を濾過するので、主として空気が第２チューブ４３に伝達される。
【００２１】
図４は、電気導線２４及びチューブ型のホース４４が連結されているハウジング１２の背面を示す図面である。ハウジング１２の背面には、第２フィルタ４６を固定するための背面リセス６６が形成されている。第２フィルタ４６は、皮膚治療用の処置器３４と真空源との間に配置される。
【００２２】
図５は、ハウジング１２に固定された栓４８を備える第２フィルタ４６を示す図面である。栓４８は、第１開口５０及び第２開口５２の二つの孔を備える。引入ホース７２が第１開口５０を通過する。真空源からの排出チューブ５４は、第２開口５２を通過する。排出チューブ５４は、第１フィルタ６４以後の第２フィルタリングラインとして機能するフィルタエレメント５６を備える。開放端部５９を有する容器が提供される。開放端部５９には、栓４８が挟まれる。容器５８は、栓４８に脱着可能に付着され、引入ホース７２及び排出チューブ５４を取り囲む。空気と共に第２チューブ４３から入る皮膚残骸は、引入チューブ７２を通じて栓４８の第１開口５０に引入されて、重力により容器５８の底部に落ちる。真空源は、研磨チップ３６により剥皮された皮膚を吸入して皮膚残骸を収集する真空効果を提供する。真空源６８は、また、皮膚治療用の処置器３４を通じた空気の流れにより、研磨チップ３６とユーザーの皮膚との接触の密着度を上昇させる。真空源により駆動される排出パイプ５４は、さらに小さい残骸を捕捉する。排出パイプ５４により捕捉されたあらゆる皮膚残骸は、フィルタエレメント５６により濾過されて空気のみがフィルタエレメント５６を通過する。
【００２３】
図６は、本発明による皮膚剥皮過程のブロック図である。皮膚剥皮装置１０を動作させるために、オン／オフスイッチ１４が電力供給器７０を活性化させる。端部に皮膚センサー電極２６を備える皮膚センサー２２が、ユーザーの皮膚の脂性度を測定する。制御器７４は、皮膚剥皮過程の真空圧力を調節する。圧力表示器３０に表示される脂性度の測定値に基づいて、圧力が一定のレベルに自動に設定される。ユーザーは、また、固定または可変される所望の圧力のレベルによって、圧力調節ボタン２０により圧力を調節することもできる。皮膚治療用の処置器３４は、制御器７４により調節される真空源６８に連結されている。皮膚治療用の処置器３４は、一回使用後に廃棄されうる。
【００２４】
図７は、研磨チップの一端部が空洞チューブ３５の一端部に挿入可能な異なる形状を有する研磨チップ６０を有する皮膚治療用の処置器３４を示す図面である。望ましくは、空洞チューブ３５は、透明材料で製作され、フィルタ６５が外部から見られるようにフィルタが透明な空洞チューブ内に設置される。
【００２５】
図８は、前記研磨チップ６０と類似しているが、扁平な環状部から突出するローラ７６をさらに備えて、ローラ７６がユーザーの皮膚と接触してローリングされうる研磨チップを示す図面である。ローラ７６は、回転軸７８により研磨チップ６０の壁に回転可能に付着される。ローラ７６は、皮膚剥皮装置１０により処理される皮膚の一部を押下する作用を行う。
【００２６】
図９は、本発明の他の実施形態による研磨チップアセンブリ８０の断面図である。図９に示したように、全体的にシリンダ型のハウジング８１内に研磨部材８２が装着される。ハウジングは、プラスチックや金属のような非研磨性材料で形成される。ハウジングの外面には段差が形成されて、ハウジング８１が皮膚治療用の処置器の空洞チューブ８６の一端部に装着されうる。研磨部材８２は、皮膚と接触する第１扁平面、及びハウジング８１の閉鎖端部に載置される突出した第２表面を有する。ハウジングの閉鎖端部には、複数の吸入孔８３及び中央孔が形成されている。研磨部材８２の第２表面から装着ロッド８４が延びており、装着ロッドは、ハウジングの中央孔に挿入される。装着ロッドに形成された溝（図示せず）に環状ピン８５を挟んで、研磨部材８２がハウジング内の位置に固定される。空洞チューブ内に真空が形成されれば、空気が研磨部材とハウジングとの間の環状間隙を通じて吸入され、吸入孔８３を通じて吸入される。使用後、研磨チップの全体のアセンブリが衛生目的のために交換されうる。
【００２７】
本発明が異なる実施形態を参照して図示されて説明されたが、当業者は、特許請求の範囲に記載された発明の原理及び範囲を逸脱せず、形態、細部構成、組成及び動作が変更されうるということが分かる。
【産業上の利用可能性】
【００２８】
本発明による皮膚剥皮装置は、小さくて単純な構造を有する。これにより、本発明は、相対的に低コストで皮膚剥皮装置を提供できる。また、本発明による研磨チップは、低コストで製造されうるので、処置後に毎度研磨チップを交換できる。本発明は、従来のダイヤモンドチップの皮膚治療用の処置器の剥皮性能を維持しつつ、皮膚剥皮施術中に発生する皮膚感染を防止できる。
【図面の簡単な説明】
【００２９】
【図１】本発明による皮膚剥皮装置の斜視図である。
【図２】本発明による皮膚治療用の処置器の正面図である。
【図３】図２の３−３線の断面図である。
【図４】本発明による皮膚剥皮装置の背面図である。
【図５】第２フィルタの断面図である。
【図６】本発明の皮膚剥皮装置のブロック図である。
【図７】本発明の皮膚治療用の処置器及び研磨チップの他の実施形態の断面図である。
【図８】ローラを備える研磨チップの断面図である。
【図９】本発明の他の実施形態による研磨チップアセンブリの断面図である。
【図１】
2007502142.tif 000003
【図２】
2007502142.tif 000004
【図３】
2007502142.tif 000005
【図４】
2007502142.tif 000006
【図５】
2007502142.tif 000007
【図６】
2007502142.tif 000008
【図７】
2007502142.tif 000009
【図８】
2007502142.tif 000010
【図９】
2007502142.tif 000011
【手続補正書】
【提出日】平成18年4月12日(2006.4.12)
【手続補正１】
【補正対象書類名】図面
【補正対象項目名】図７
【補正方法】変更
【補正の内容】
【図７】
2007502142.tif 000012
【国際調査報告】
2007502142.tif 000013